(57)【特許請求の範囲】
【請求項１】
第１の通信端末装置と、第２の通信端末装置と、サービスセンタとを備え、
上記第１の通信端末装置は、
上記サービスセンタに上記第２の通信端末装置の電話番号を送信する第１の送信手段と、上記サービスセンタより送られてくる上記第２の通信端末装置の位置を示す位置情報を受信する第１の受信手段と、上記第１の受信手段で受信された上記位置情報で示される位置を報知する報知手段とを有し、
上記第２の通信端末装置は、
自己の位置を示す位置情報を上記サービスセンタで得るのに必要な送信情報を得る情報取得手段と、上記サービスセンタより送られてくる送信情報の要求信号を受信する第２の受信手段と、上記第２の受信手段が上記送信情報の要求信号を受信するとき、上記情報取得手段で得られる上記送信情報を上記サービスセンタに送信する第２の送信手段とを有し、
上記サービスセンタは、
上記第１の通信端末装置より送られてくる上記第２の通信端末装置の電話番号を受信する第３の受信手段と、上記第３の受信手段で受信された上記第２の通信端末装置の電話番号に基づいて、上記第２の通信端末装置に上記送信情報の要求信号を送信する第３の送信手段と、上記第２の通信端末装置より送られてくる上記送信情報を受信する第４の受信手段と、上記第４の受信手段で受信される上記送信情報に基づいて上記第２の通信端末装置の位置を示す位置情報を得る情報処理手段と、上記情報処理手段で得られる上記位置情報を上記第１の通信端末装置に送信する第４の送信手段とを有し、
上記第２の通信端末装置の上記情報取得手段で得られる上記送信情報は、当該第２の通信端末装置が利用可能な公衆基地局の制御チャネルを順次受信して得られる基地局識別情報のうち受信信号強度が上位所定数に入る制御チャネルに係る基地局識別情報からなる基地局識別情報群であり、
上記サービスセンタは、上記基地局識別情報群とそれに対応した位置情報との組み合わせが複数個記憶されたメモリ手段をさらに備え、
上記サービスセンタの上記情報処理手段は、上記第４の受信手段で受信される上記送信情報としての基地局識別情報群と上記メモリ手段に記憶されている複数個の組み合わせのそれぞれの基地局識別情報群とを比較し、基地局識別情報の一致個数が最も多い上記組み合わせを構成する上記位置情報を上記第２の通信端末装置の位置を示す位置情報として得て、
上記サービスセンタの上記第４の送信手段は、上記一致個数に対応して、上記位置情報にその位置情報の精度を示すデータを付加して上記第１の通信端末装置に送信する通信システム。
【請求項２】
第１の通信端末装置と、第２の通信端末装置と、サービスセンタとを備え、
上記第１の通信端末装置は、
上記サービスセンタに上記第２の通信端末装置の電話番号を送信する第１の送信手段と、上記サービスセンタより送られてくる上記第２の通信端末装置の位置を示す位置情報を受信する第１の受信手段と、上記第１の受信手段で受信された上記位置情報で示される位置を報知する報知手段とを有し、
上記第２の通信端末装置は、
自己の位置を示す位置情報を上記サービスセンタで得るのに必要な送信情報を得る情報取得手段と、上記サービスセンタより送られてくる送信情報の要求信号を受信する第２の受信手段と、上記第２の受信手段が上記送信情報の要求信号を受信するとき、上記情報取得手段で得られる上記送信情報を上記サービスセンタに送信する第２の送信手段とを有し、
上記サービスセンタは、
上記第１の通信端末装置より送られてくる上記第２の通信端末装置の電話番号を受信する第３の受信手段と、上記第３の受信手段で受信された上記第２の通信端末装置の電話番号に基づいて、上記第２の通信端末装置に上記送信情報の要求信号を送信する第３の送信手段と、上記第２の通信端末装置より送られてくる上記送信情報を受信する第４の受信手段と、上記第４の受信手段で受信される上記送信情報に基づいて上記第２の通信端末装置の位置を示す位置情報を得る情報処理手段と、上記情報処理手段で得られる上記位置情報を上記第１の通信端末装置に送信する第４の送信手段とを有し、
上記第２の通信端末装置の上記情報取得手段で得られる上記送信情報は、当該第２の通信端末装置が利用可能な公衆基地局の制御チャネルを順次受信して得られる基地局識別情報のうち受信信号強度が上位所定数に入る制御チャネルに係る基地局識別情報からなる基地局識別情報群であり、
上記第２の通信端末装置の情報取得手段で得られる上記送信情報は、上記基地局識別情報群を構成するそれぞれの基地局識別情報が得られた際の上記受信信号強度のデータをさらに含み、
上記サービスセンタは、基地局識別情報群とそれに対応した位置情報との組み合わせが複数個記憶されたメモリ手段をさらに備え、
上記サービスセンタの上記情報処理手段は、上記メモリ手段に記憶されている複数個の組み合わせのそれぞれの基地局識別情報群と上記第４の受信手段で受信される上記送信情報としての基地局識別情報群とを上記受信信号強度のデータに基づいて複数のグループに分割し、上記第４の受信手段で受信される基地局識別情報群と上記メモリ手段に記憶されている複数個の組み合わせのそれぞれの基地局識別情報群とを上記各グループ毎に比較し、基地局識別情報の一致個数が最も多い上記組み合わせを構成する上記位置情報を上記第２の通信端末装置の位置を示す位置情報として得て、
上記サービスセンタの上記第４の送信手段は、上記一致個数に対応して、上記位置情報にその位置情報の精度を示すデータを付加して上記第１の通信端末装置に送信する通信システム。
【請求項３】
第１の通信端末装置と、第２の通信端末装置と、サービスセンタとを備え、
上記第１の通信端末装置は、
上記第２の通信端末装置の位置を示す位置情報の要求信号を当該第２の通信端末装置に送信する第１の送信手段と、上記第２の通信端末装置より送られてくる上記第２の通信端末装置の位置情報を受信する第１の受信手段と、上記第１の受信手段で受信された上記位置情報で示される位置を報知する報知手段とを有し、
上記第２の通信端末装置は、
自己の位置を示す位置情報をサービスセンタで得るのに必要な送信情報を得る情報取得手段と、上記第１の通信端末装置より送られてくる上記位置情報の要求信号を受信する第２の受信手段と、上記第２の受信手段が上記位置情報の要求信号を受信するとき、上記情報取得手段で得られる上記送信情報を上記サービスセンタに送信する第２の送信手段と、上記サービスセンタより送られてくる上記位置情報を受信する第３の受信手段と、上記第３の受信手段で受信された上記位置情報を上記第１の通信端末装置に送信する第３の送信手段とを有し、
上記サービスセンタは、
上記第２の通信端末装置より送られてくる上記送信情報を受信する第４の受信手段と、上記第４の受信手段で受信される上記送信情報に基づいて上記第２の通信端末装置の位置を示す位置情報を得る情報処理手段と、上記情報処理手段で得られる位置情報を上記第２の通信端末装置に送信する第４の送信手段とを有し、
上記第２の通信端末装置の情報取得手段で得られる上記送信情報は、利用可能な公衆基地局の制御チャネルを順次受信して得られる基地局識別情報のうち受信信号強度が上位所定数に入る制御チャネルに係る基地局識別情報からなる基地局識別情報群であり、
上記サービスセンタは、基地局識別情報群とそれに対応した位置情報との組み合わせが複数個記憶されたメモリ手段をさらに備え、
上記サービスセンタの上記情報処理手段は、上記第４の受信手段で受信される上記送信情報としての基地局識別情報群と上記メモリ手段に記憶されている複数個の組み合わせのそれぞれの基地局識別情報群とを比較し、基地局識別情報の一致個数が最も多い上記組み合わせを構成する上記位置情報を上記第２の通信端末装置の位置を示す位置情報として得て、
上記サービスセンタの上記第４の送信手段は、上記一致個数に対応して、上記位置情報にその位置情報の精度を示すデータを付加して上記第２の通信端末装置に送信し、上記第２の通信端末装置の上記第３の送信手段は、上記第３の受信手段で受信される位置情報にその位置情報の精度を示すデータが付加されているとき、上記位置情報にその位置情報の精度を示すデータを付加して上記第１の通信端末装置に送信する通信システム。
【請求項４】
第１の通信端末装置と、第２の通信端末装置と、サービスセンタとを備え、
上記第１の通信端末装置は、
上記第２の通信端末装置の位置を示す位置情報の要求信号を当該第２の通信端末装置に送信する第１の送信手段と、上記第２の通信端末装置より送られてくる上記第２の通信端末装置の位置情報を受信する第１の受信手段と、上記第１の受信手段で受信された上記位置情報で示される位置を報知する報知手段とを有し、
上記第２の通信端末装置は、
自己の位置を示す位置情報をサービスセンタで得るのに必要な送信情報を得る情報取得手段と、上記第１の通信端末装置より送られてくる上記位置情報の要求信号を受信する第２の受信手段と、上記第２の受信手段が上記位置情報の要求信号を受信するとき、上記情報取得手段で得られる上記送信情報を上記サービスセンタに送信する第２の送信手段と、上記サービスセンタより送られてくる上記位置情報を受信する第３の受信手段と、上記第３の受信手段で受信された上記位置情報を上記第１の通信端末装置に送信する第３の送信手段とを有し、
上記サービスセンタは、
上記第２の通信端末装置より送られてくる上記送信情報を受信する第４の受信手段と、上記第４の受信手段で受信される上記送信情報に基づいて上記第２の通信端末装置の位置を示す位置情報を得る情報処理手段と、上記情報処理手段で得られる位置情報を上記第２の通信端末装置に送信する第４の送信手段とを有し、
上記第２の通信端末装置の情報取得手段で得られる上記送信情報は、利用可能な公衆基地局の制御チャネルを順次受信して得られる基地局識別情報のうち受信信号強度が上位所定数に入る制御チャネルに係る基地局識別情報からなる基地局識別情報群であり、
上記送信情報は、上記送信情報としての基地局識別情報群を構成するそれぞれの基地局識別情報が得られた際の上記受信信号強度のデータをさらに含み、
上記サービスセンタは、基地局識別情報群とそれに対応した位置情報との組み合わせが複数個記憶されたメモリ手段をさらに備え、
上記サービスセンタの上記情報処理手段は、上記メモリ手段に記憶されている複数個の組み合わせのそれぞれの基地局識別情報群と上記第４の受信手段で受信される上記送信情報としての基地局識別情報群とを上記受信信号強度のデータに基づいて複数のグループに分割し、上記第４の受信手段で受信される基地局識別情報群と上記メモリ手段に記憶されている複数個の組み合わせのそれぞれの基地局識別情報群とを上記各グループ毎に比較し、基地局識別情報の一致個数が最も多い上記組み合わせを構成する上記位置情報を上記第２の通信端末装置の位置を示す位置情報として得て、
上記サービスセンタの上記第４の送信手段は、上記一致個数に対応して、上記位置情報にその位置情報の精度を示すデータを付加して上記第２の通信端末装置に送信し、上記第２の通信端末装置の上記第３の送信手段は、上記第３の受信手段で受信される位置情報にその位置情報の精度を示すデータが付加されているとき、上記位置情報にその位置情報の精度を示すデータを付加して上記第１の通信端末装置に送信する通信システム。
【請求項５】
他の通信端末装置に、当該他の通信端末装置の位置を示す位置情報をサービスセンタで得るのに必要な送信情報の要求信号を送信する第１の送信手段と、
上記他の通信端末装置より送られてくる上記送信情報を受信する第１の受信手段と、
上記第１の受信手段で受信された上記送信情報を上記サービスセンタに送信する第２の送信手段と、
上記サービスセンタより送られてくる上記他の通信端末装置の位置を示す位置情報を受信する第２の受信手段と、
上記第２の受信手段で受信された位置情報で示される位置を報知する報知手段とを備える通信端末装置。
【請求項６】
自己の位置を示す位置情報をサービスセンタで得るのに必要な送信情報を得る情報取得手段と、
他の通信端末装置より送られてくる送信情報の要求信号を受信する受信手段と、
上記受信手段が上記送信情報の要求信号を受信するとき、上記情報取得手段で得られる上記送信情報を上記他の通信端末装置に送信する送信手段とを備える通信端末装置。
【請求項７】
上記送信情報は、利用可能な公衆基地局の制御チャネルを順次受信して得られる基地局識別情報のうち受信信号強度が上位所定数に入る制御チャネルに係る基地局識別情報からなる基地局識別情報群である請求項６に記載の通信端末装置。
【請求項８】
上記送信情報は、利用可能な公衆基地局の制御チャネルを順次受信して得られる基地局識別情報のうち受信信号強度が上位所定数に入る制御チャネルに係る基地局識別情報からなる基地局識別情報群と、その基地局識別情報群を構成するそれぞれの基地局識別情報が得られた際の上記受信信号強度のデータである請求項６に記載の通信端末装置。
【請求項９】
上記情報取得手段は、上記送信情報を得る動作を一定期間毎に実行する請求項６に記載の通信端末装置。
【請求項１０】
上記情報取得手段は、上記受信手段が上記送信情報の要求信号を受信するとき、上記送信情報を得る動作を実行する請求項６に記載の通信端末装置。
【請求項１１】
第１の通信端末装置と、第２の通信端末装置と、サービスセンタとを備え、
上記第１の通信端末装置は、
上記第２の通信端末装置に、当該第２の通信端末装置の位置を示す位置情報を上記サービスセンタで得るのに必要な送信情報の要求信号を送信する第１の送信手段と、上記第２の通信端末装置より送られてくる上記送信情報を受信する第１の受信手段と、上記第１の受信手段で受信された上記送信情報を上記サービスセンタに送信する第２の送信手段と、上記サービスセンタより送られてくる上記第２の通信端末装置の位置を示す位置情報を受信する第２の受信手段と、上記第２の受信手段で受信された位置情報で示される位置を報知する報知手段とを有し、
上記第２の通信端末装置は、
上記送信情報を得る情報取得手段と、上記第１の通信端末装置より送られてくる送信情報の要求信号を受信する第３の受信手段と、上記第３の受信手段が上記送信情報の要求信号を受信するとき、上記情報取得手段で得られる上記送信情報を上記第１の通信端末装置に送信する第３の送信手段とを有し、
上記サービスセンタは、
上記第１の通信端末装置より送られてくる上記送信情報を受信する第４の受信手段と、上記第４の受信手段で受信される上記送信情報に基づいて上記第２の通信端末装置の位置を示す位置情報を得る情報処理手段と、上記情報処理手段で得られる位置情報を上記第１の通信端末装置に送信する第４の送信手段とを有する通信システム。
【請求項１２】
上記第２の通信端末装置の情報取得手段で得られる上記送信情報は、利用可能な公衆基地局の制御チャネルを順次受信して得られる基地局識別情報のうち受信信号強度が上位所定数に入る制御チャネルに係る基地局識別情報からなる基地局識別情報群であり、
上記サービスセンタは、基地局識別情報群とそれに対応した位置情報との組み合わせが複数個記憶されたメモリ手段をさらに備え、
上記サービスセンタの上記情報処理手段は、上記第４の受信手段で受信される上記送信情報としての基地局識別情報群と上記メモリ手段に記憶されている複数個の組み合わせのそれぞれの基地局識別情報群とを比較し、基地局識別情報の一致個数が最も多い上記組み合わせを構成する上記位置情報を上記第２の通信端末装置の位置を示す位置情報として得る請求項１１に記載の通信システム。
【請求項１３】
上記第２の通信端末装置の情報取得手段で得られる上記送信情報は、利用可能な公衆基地局の制御チャネルを順次受信して得られる基地局識別情報のうち受信信号強度が上位所定数に入る制御チャネルに係る基地局識別情報からなる基地局識別情報群と、その基地局識別情報群を構成するそれぞれの基地局識別情報が得られた際の上記受信信号強度のデータであり、
上記サービスセンタは、基地局識別情報群とそれに対応した位置情報との組み合わせが複数個記憶されたメモリ手段をさらに備え、
上記サービスセンタの上記情報処理手段は、上記メモリ手段に記憶されている複数個の組み合わせのそれぞれの基地局識別情報群と上記第４の受信手段で受信される上記送信情報としての基地局識別情報群とを上記受信信号強度のデータに基づいて複数のグループに分割し、上記第４の受信手段で受信される基地局識別情報群と上記メモリ手段に記憶されている複数個の組み合わせのそれぞれの基地局識別情報群とを上記各グループ毎に比較し、基地局識別情報の一致個数が最も多い上記組み合わせを構成する上記位置情報を上記第２の通信端末装置の位置を示す位置情報として得る請求項１１に記載の通信システム。
【請求項１４】
上記第２の通信端末装置の情報取得手段で得られる上記送信情報は、利用可能な公衆基地局の制御チャネルを順次受信して得られる基地局識別情報のうち受信信号強度が上位所定数に入る制御チャネルに係る基地局識別情報からなる基地局識別情報群と、その基地局識別情報群を構成するそれぞれの基地局識別情報が得られた際の上記受信信号強度のデータであり、
上記サービスセンタの上記情報処理手段は、上記第４の受信手段で受信される上記送信情報としての基地局識別情報群と上記受信信号強度のデータとを利用して上記第２の通信端末装置の位置を示す位置情報を演算で得る請求項１１に記載の通信システム。
【請求項１５】
上記第２の通信端末装置は、上記第１の通信端末装置が送信情報の送信を許可する端末装置であるか否かを確認する端末確認手段をさらに有し、
上記端末確認手段により上記第１の通信端末装置が送信情報の送信を許可する端末装置でないと確認されるとき、上記第３の送信手段は上記第１の通信端末装置に上記送信情報を送信しない請求項１１に記載の通信システム。
【請求項１６】
上記サービスセンタの第４の送信手段は、上記一致個数に対応して、上記位置情報にその位置情報の精度を示すデータを付加して上記第１の通信端末装置に送信する請求項１２または請求項１３に記載の通信システム。
【請求項１７】
他の通信端末装置に位置情報の要求信号を送信する送信手段と、
サービスセンタより送られてくる上記他の通信端末装置の位置を示す位置情報を受信する受信手段と、
上記受信手段で受信された位置情報で示される位置を報知する報知手段とを備える通信端末装置。
【請求項１８】
自己の位置を示す位置情報をサービスセンタで得るのに必要な送信情報を得る情報取得手段と、
他の通信端末装置より送られてくる位置情報の要求信号を受信する受信手段と、
上記受信手段が上記位置情報の要求信号を受信するとき、上記情報取得手段で得られる上記送信情報と上記他の通信端末装置の電話番号とを上記サービスセンタに送信する送信手段とを備える通信端末装置。
【請求項１９】
上記送信情報は、利用可能な公衆基地局の制御チャネルを順次受信して得られる基地局識別情報のうち受信信号強度が上位所定数に入る制御チャネルに係る基地局識別情報からなる基地局識別情報群である請求項１８に記載の通信端末装置。
【請求項２０】
上記送信情報は、利用可能な公衆基地局の制御チャネルを順次受信して得られる基地局識別情報のうち受信信号強度が上位所定数に入る制御チャネルに係る基地局識別情報からなる基地局識別情報群と、その基地局識別情報群を構成するそれぞれの基地局識別情報が得られた際の上記受信信号強度のデータである請求項１８に記載の通信端末装置。
【請求項２１】
上記情報取得手段は、上記送信情報を得る動作を一定期間毎に実行する請求項１８に記載の通信端末装置。
【請求項２２】
上記情報取得手段は、上記受信手段が上記位置情報の要求信号を受信するとき、上記送信情報を得る動作を実行する請求項１８に記載の通信端末装置。
【請求項２３】
第１の通信端末装置と、第２の通信端末装置と、サービスセンタとを備え、
上記第１の通信端末装置は、
上記第２の通信端末装置に位置情報の要求信号を送信する第１の送信手段と、上記サービスセンタより送られてくる上記第２の通信端末装置の位置を示す位置情報を受信する第１の受信手段と、上記第１の受信手段で受信された位置情報で示される位置を報知する報知手段とを有し、
上記第２の通信端末装置は、
自己の位置を示す位置情報をサービスセンタで得るのに必要な送信情報を得る情報取得手段と、上記第１の通信端末装置より送られてくる位置情報の要求信号を受信する第２の受信手段と、上記第２の受信手段が上記位置情報の要求信号を受信するとき、上記情報取得手段で得られる上記送信情報と上記第１の通信端末装置の電話番号とを上記サービスセンタに送信する第２の送信手段とを有し、
上記サービスセンタは、
上記第２の通信端末装置より送られてくる上記送信情報および上記第１の通信端末装置の電話番号を受信する第３の受信手段と、上記第３の受信手段で受信される上記送信情報に基づいて上記第２の通信端末装置の位置を示す位置情報を得る情報処理手段と、上記情報処理手段で得られる位置情報を、上記第３の受信手段で受信される上記第１の通信端末装置の電話番号を用いて、上記第１の通信端末装置に送信する第３の送信手段とを有する通信システム。
【請求項２４】
上記第２の通信端末装置の情報取得手段で得られる上記送信情報は、利用可能な公衆基地局の制御チャネルを順次受信して得られる基地局識別情報のうち受信信号強度が上位所定数に入る制御チャネルに係る基地局識別情報からなる基地局識別情報群であり、
上記サービスセンタは、基地局識別情報群とそれに対応した位置情報との組み合わせが複数個記憶されたメモリ手段をさらに備え、
上記サービスセンタの上記情報処理手段は、上記第３の受信手段で受信される上記送信情報としての基地局識別情報群と上記メモリ手段に記憶されている複数個の組み合わせのそれぞれの基地局識別情報群とを比較し、基地局識別情報の一致個数が最も多い上記組み合わせを構成する上記位置情報を上記第２の通信端末装置の位置を示す位置情報として得る請求項２３に記載の通信システム。
【請求項２５】
上記第２の通信端末装置の情報取得手段で得られる上記送信情報は、利用可能な公衆基地局の制御チャネルを順次受信して得られる基地局識別情報のうち受信信号強度が上位所定数に入る制御チャネルに係る基地局識別情報からなる基地局識別情報群と、その基地局識別情報群を構成するそれぞれの基地局識別情報が得られた際の上記受信信号強度のデータであり、
上記サービスセンタは、基地局識別情報群とそれに対応した位置情報との組み合わせが複数個記憶されたメモリ手段をさらに備え、
上記サービスセンタの上記情報処理手段は、上記メモリ手段に記憶されている複数個の組み合わせのそれぞれの基地局識別情報群と上記第３の受信手段で受信される上記送信情報としての基地局識別情報群とを上記受信信号強度のデータに基づいて複数のグループに分割し、上記第３の受信手段で受信される基地局識別情報群と上記メモリ手段に記憶されている複数個の組み合わせのそれぞれの基地局識別情報群とを上記各グループ毎に比較し、基地局識別情報の一致個数が最も多い上記組み合わせを構成する上記位置情報を上記第２の通信端末装置の位置を示す位置情報として得る請求項２３に記載の通信システム。
【請求項２６】
上記第２の通信端末装置の情報取得手段で得られる上記送信情報は、利用可能な公衆基地局の制御チャネルを順次受信して得られる基地局識別情報のうち受信信号強度が上位所定数に入る制御チャネルに係る基地局識別情報からなる基地局識別情報群と、その基地局識別情報群を構成するそれぞれの基地局識別情報が得られた際の上記受信信号強度のデータであり、
上記サービスセンタの上記情報処理手段は、上記第３の受信手段で受信される上記送信情報としての基地局識別情報群と上記受信信号強度のデータとを利用して上記第２の通信端末装置の位置を示す位置情報を演算で得る請求項２３に記載の通信システム。
【請求項２７】
上記第２の通信端末装置は、上記第１の通信端末装置が送信情報の送信を許可する端末装置であるか否かを確認する端末確認手段をさらに有し、
上記端末確認手段により上記第１の通信端末装置が送信情報の送信を許可する端末装置でないと確認されるとき、上記第２の送信手段は上記サービスセンタに上記送信情報および上記第１の通信端末装置の電話番号を送信しない請求項２３に記載の通信システム。
【請求項２８】
上記サービスセンタの第３の送信手段は、上記一致個数に対応して、上記位置情報にその位置情報の精度を示すデータを付加して上記第１の通信端末装置に送信する請求項２４または請求項２５に記載の通信システム。
【発明の詳細な説明】
【技術分野】
【０００１】
この発明は、通信システムおよびそれに使用される通信端末装置に関する。詳しくは、第２の通信端末装置（被探索側の端末機）で得られる基地局識別情報群、または基地局識別情報群および受信信号強度のデータをサービスセンタに送信し、このサービスセンタで第２の通信端末装置の位置情報を得、この位置情報を第１の通信端末装置（探索側の端末機）に送信する構成とすることによって、第１、第２の通信端末装置に大容量のメモリ手段を持たなくても、第１の通信端末装置で任意の位置にある第２の通信端末装置の位置を示す位置情報を容易に取得できるようにした通信システム等に係るものである。
【背景技術】
【０００２】
近年、通信端末装置、例えば簡易型携帯電話機（ＰＨＳ：Ｐｅｒｓｏｎａｌ Ｈａｎｄｙｐｈｏｎｅ Ｓｙｓｔｅｍ）の小型軽量化が進み、その携帯が容易となっている。通常、携帯電話機の携帯者がどこにいるかは、その携帯電話機に電話をかけ、携帯者と通話をすることで確認することができる。
【０００３】
しかし、携帯者が地理に不案内な例えば幼児、児童等であるときは、携帯している電話機に電話をかけ、携帯者と通話をしたとしても、その携帯者がどこにいるかを認識することが困難な場合がある。
【０００４】
そこで、携帯電話機に基地局識別情報群（ＣＳ−ＩＤ群）とそれに対応した位置情報との組み合わせが複数個記憶されたメモリ手段を備え、携帯電話機ではこのメモリ手段を利用して自己の位置情報が得られるようにし、この位置情報が発信側に送信される構成とすることで、発信側で携帯者がどこにいるかを容易に認識可能とすること考えられる。この場合、携帯電話機では、利用可能な公衆基地局の制御チャネルを順次受信して得られる基地局識別情報からなる基地局識別情報群とメモリ手段に記憶されている複数個の組み合わせのそれぞれの基地局識別情報群とを比較し、基地局識別情報の一致個数が最も多い組み合わせを構成する位置情報が自己の位置情報として得られる。
【０００５】
しかし、携帯電話機に基地局識別情報群（ＣＳ−ＩＤ群）とそれに対応した位置情報との組み合わせが複数個記憶されたメモリ手段を備えるものによれば、携帯電話機に大容量のメモリ手段を持つことになり、携帯電話機の大幅なコストアップを招くことになる。
【０００６】
この発明では、第１、第２の通信端末装置に大容量のメモリ手段を持たなくても、第１の通信端末装置で任意の位置にある第２の通信端末装置の位置を示す位置情報を取得し得る通信システム等を提供することを目的とする。
【発明の開示】
【０００７】
請求項１の発明に係る通信システムは、第１の通信端末装置と、第２の通信端末装置と、サービスセンタとを備え、第１の通信端末装置は、サービスセンタに第２の通信端末装置の電話番号を送信する第１の送信手段と、サービスセンタより送られてくる第２の通信端末装置の位置を示す位置情報を受信する第１の受信手段と、第１の受信手段で受信された位置情報で示される位置を報知する報知手段とを有し、第２の通信端末装置は、自己の位置を示す位置情報をサービスセンタで得るのに必要な送信情報を得る情報取得手段と、サービスセンタより送られてくる送信情報の要求信号を受信する第２の受信手段と、第２の受信手段が送信情報の要求信号を受信するとき、情報取得手段で得られる送信情報をサービスセンタに送信する第２の送信手段とを有し、サービスセンタは、第１の通信端末装置より送られてくる第２の通信端末装置の電話番号を受信する第３の受信手段と、第３の受信手段で受信された第２の通信端末装置の電話番号に基づいて、第２の通信端末装置に送信情報の要求信号を送信する第３の送信手段と、第２の通信端末装置より送られてくる送信情報を受信する第４の受信手段と、第４の受信手段で受信される送信情報に基づいて第２の通信端末装置の位置を示す位置情報を得る情報処理手段と、情報処理手段で得られる位置情報を第１の通信端末装置に送信する第４の送信手段とを有し、第２の通信端末装置の情報取得手段で得られる送信情報は、当該第２の通信端末装置が利用可能な公衆基地局の制御チャネルを順次受信して得られる基地局識別情報のうち受信信号強度が上位所定数に入る制御チャネルに係る基地局識別情報からなる基地局識別情報群であり、サービスセンタは、基地局識別情報群とそれに対応した位置情報との組み合わせが複数個記憶されたメモリ手段をさらに備え、サービスセンタの情報処理手段は、第４の受信手段で受信される送信情報としての基地局識別情報群とメモリ手段に記憶されている複数個の組み合わせのそれぞれの基地局識別情報群とを比較し、基地局識別情報の一致個数が最も多い組み合わせを構成する位置情報を第２の通信端末装置の位置を示す位置情報として得て、
サービスセンタの第４の送信手段は、一致個数に対応して、位置情報にその位置情報の精度を示すデータを付加して第１の通信端末装置に送信するものである。
【０００８】
請求項２の発明に係る通信システムは、第１の通信端末装置と、第２の通信端末装置と、サービスセンタとを備え、第１の通信端末装置は、サービスセンタに第２の通信端末装置の電話番号を送信する第１の送信手段と、サービスセンタより送られてくる第２の通信端末装置の位置を示す位置情報を受信する第１の受信手段と、第１の受信手段で受信された位置情報で示される位置を報知する報知手段とを有し、第２の通信端末装置は、自己の位置を示す位置情報をサービスセンタで得るのに必要な送信情報を得る情報取得手段と、サービスセンタより送られてくる送信情報の要求信号を受信する第２の受信手段と、第２の受信手段が送信情報の要求信号を受信するとき、情報取得手段で得られる送信情報をサービスセンタに送信する第２の送信手段とを有し、サービスセンタは、第１の通信端末装置より送られてくる第２の通信端末装置の電話番号を受信する第３の受信手段と、第３の受信手段で受信された第２の通信端末装置の電話番号に基づいて、第２の通信端末装置に送信情報の要求信号を送信する第３の送信手段と、第２の通信端末装置より送られてくる送信情報を受信する第４の受信手段と、第４の受信手段で受信される送信情報に基づいて第２の通信端末装置の位置を示す位置情報を得る情報処理手段と、情報処理手段で得られる位置情報を第１の通信端末装置に送信する第４の送信手段とを有し、第２の通信端末装置の情報取得手段で得られる送信情報は、当該第２の通信端末装置が利用可能な公衆基地局の制御チャネルを順次受信して得られる基地局識別情報のうち受信信号強度が上位所定数に入る制御チャネルに係る基地局識別情報からなる基地局識別情報群であり、第２の通信端末装置の情報取得手段で得られる送信情報は、基地局識別情報群を構成するそれぞれの基地局識別情報が得られた際の受信信号強度のデータをさらに含み、サービスセンタは、基地局識別情報群とそれに対応した位置情報との組み合わせが複数個記憶されたメモリ手段をさらに備え、サービスセンタの情報処理手段は、メモリ手段に記憶されている複数個の組み合わせのそれぞれの基地局識別情報群と第４の受信手段で受信される送信情報としての基地局識別情報群とを受信信号強度のデータに基づいて複数のグループに分割し、第４の受信手段で受信される基地局識別情報群とメモリ手段に記憶されている複数個の組み合わせのそれぞれの基地局識別情報群とを各グループ毎に比較し、基地局識別情報の一致個数が最も多い組み合わせを構成する位置情報を第２の通信端末装置の位置を示す位置情報として得て、サービスセンタの第４の送信手段は、一致個数に対応して、位置情報にその位置情報の精度を示すデータを付加して第１の通信端末装置に送信するものである。
【０００９】
第１の通信端末装置よりサービスセンタに位置情報を得ようとする第２の通信端末装置の電話番号が送信されると、サービスセンタより第２の端末装置に送信情報の要求信号が送信され、この要求信号に応じて第２の通信端末装置よりサービスセンタに送信情報（基地局識別情報群、あるいは基地局識別情報群および受信信号強度データなど）が送信される。
【００１０】
サービスセンタの情報処理手段では、第２の通信端末装置より送信されてくる送信情報に基づいて第２の通信端末装置の位置を示す位置情報が得られる。この位置情報は第１の通信端末装置に送信される。そして、第１の通信端末装置の報知手段では、その位置情報で示される位置、つまり第２の通信端末装置の位置が報知される。例えば、表示部に文字列や画像により位置が表示され、あるいは音声出力部より位置を示す音声が出力される。これにより、第１、第２の通信端末装置に大容量のメモリ手段を持たなくても、第１の通信端末装置で、任意の位置にある第２の通信端末装置の位置を示す位置情報を容易に取得できるようになる。
【００１１】
請求項３の発明に係る通信システムは、第１の通信端末装置と、第２の通信端末装置と、サービスセンタとを備え、第１の通信端末装置は、第２の通信端末装置の位置を示す位置情報の要求信号を当該第２の通信端末装置に送信する第１の送信手段と、第２の通信端末装置より送られてくる第２の通信端末装置の位置情報を受信する第１の受信手段と、第１の受信手段で受信された位置情報で示される位置を報知する報知手段とを有し、第２の通信端末装置は、自己の位置を示す位置情報をサービスセンタで得るのに必要な送信情報を得る情報取得手段と、第１の通信端末装置より送られてくる位置情報の要求信号を受信する第２の受信手段と、第２の受信手段が位置情報の要求信号を受信するとき、情報取得手段で得られる送信情報をサービスセンタに送信する第２の送信手段と、サービスセンタより送られてくる位置情報を受信する第３の受信手段と、第３の受信手段で受信された位置情報を第１の通信端末装置に送信する第３の送信手段とを有し、サービスセンタは、第２の通信端末装置より送られてくる送信情報を受信する第４の受信手段と、第４の受信手段で受信される送信情報に基づいて第２の通信端末装置の位置を示す位置情報を得る情報処理手段と、情報処理手段で得られる位置情報を第２の通信端末装置に送信する第４の送信手段とを有し、第２の通信端末装置の情報取得手段で得られる送信情報は、利用可能な公衆基地局の制御チャネルを順次受信して得られる基地局識別情報のうち受信信号強度が上位所定数に入る制御チャネルに係る基地局識別情報からなる基地局識別情報群であり、サービスセンタは、基地局識別情報群とそれに対応した位置情報との組み合わせが複数個記憶されたメモリ手段をさらに備え、サービスセンタの情報処理手段は、第４の受信手段で受信される送信情報としての基地局識別情報群とメモリ手段に記憶されている複数個の組み合わせのそれぞれの基地局識別情報群とを比較し、基地局識別情報の一致個数が最も多い組み合わせを構成する位置情報を第２の通信端末装置の位置を示す位置情報として得て、サービスセンタの第４の送信手段は、一致個数に対応して、位置情報にその位置情報の精度を示すデータを付加して第２の通信端末装置に送信し、第２の通信端末装置の第３の送信手段は、第３の受信手段で受信される位置情報にその位置情報の精度を示すデータが付加されているとき、位置情報にその位置情報の精度を示すデータを付加して第１の通信端末装置に送信するものである。
【００１２】
請求項４の発明に係る通信システムは、第１の通信端末装置と、第２の通信端末装置と、サービスセンタとを備え、第１の通信端末装置は、第２の通信端末装置の位置を示す位置情報の要求信号を当該第２の通信端末装置に送信する第１の送信手段と、第２の通信端末装置より送られてくる第２の通信端末装置の位置情報を受信する第１の受信手段と、第１の受信手段で受信された位置情報で示される位置を報知する報知手段とを有し、第２の通信端末装置は、自己の位置を示す位置情報をサービスセンタで得るのに必要な送信情報を得る情報取得手段と、第１の通信端末装置より送られてくる位置情報の要求信号を受信する第２の受信手段と、第２の受信手段が位置情報の要求信号を受信するとき、情報取得手段で得られる送信情報をサービスセンタに送信する第２の送信手段と、サービスセンタより送られてくる位置情報を受信する第３の受信手段と、第３の受信手段で受信された位置情報を第１の通信端末装置に送信する第３の送信手段とを有し、サービスセンタは、第２の通信端末装置より送られてくる送信情報を受信する第４の受信手段と、第４の受信手段で受信される送信情報に基づいて第２の通信端末装置の位置を示す位置情報を得る情報処理手段と、情報処理手段で得られる位置情報を第２の通信端末装置に送信する第４の送信手段とを有し、第２の通信端末装置の情報取得手段で得られる送信情報は、利用可能な公衆基地局の制御チャネルを順次受信して得られる基地局識別情報のうち受信信号強度が上位所定数に入る制御チャネルに係る基地局識別情報からなる基地局識別情報群であり、送信情報は、送信情報としての基地局識別情報群を構成するそれぞれの基地局識別情報が得られた際の受信信号強度のデータをさらに含み、サービスセンタは、基地局識別情報群とそれに対応した位置情報との組み合わせが複数個記憶されたメモリ手段をさらに備え、サービスセンタの情報処理手段は、メモリ手段に記憶されている複数個の組み合わせのそれぞれの基地局識別情報群と第４の受信手段で受信される送信情報としての基地局識別情報群とを受信信号強度のデータに基づいて複数のグループに分割し、第４の受信手段で受信される基地局識別情報群とメモリ手段に記憶されている複数個の組み合わせのそれぞれの基地局識別情報群とを各グループ毎に比較し、基地局識別情報の一致個数が最も多い組み合わせを構成する位置情報を第２の通信端末装置の位置を示す位置情報として得て、サービスセンタの第４の送信手段は、一致個数に対応して、位置情報にその位置情報の精度を示すデータを付加して第２の通信端末装置に送信し、第２の通信端末装置の第３の送信手段は、第３の受信手段で受信される位置情報にその位置情報の精度を示すデータが付加されているとき、位置情報にその位置情報の精度を示すデータを付加して第１の通信端末装置に送信するものである。
【００１３】
第１の通信端末装置より第２の通信端末装置に位置情報の要求信号が送信されると、この要求信号に応じて第２の通信端末装置よりサービスセンタに送信情報が送信される。サービスセンタの情報処理手段では、第２の通信端末装置より送信されてくる送信情報に基づいて第２の通信端末装置の位置を示す位置情報が得られる。この位置情報は第２の通信端末装置を介して第１の通信端末装置に送信される。そして、第１の通信端末装置の報知手段では、その位置情報で示される位置、つまり第２の通信端末装置の位置が報知される。これにより、第１、第２の通信端末装置に大容量のメモリ手段を持たなくても、第１の通信端末装置で、任意の位置にある第２の通信端末装置の位置を示す位置情報を容易に取得できるようになる。
【００１４】
請求項５の発明に係る通信端末装置は、他の通信端末装置に、当該他の通信端末装置の位置を示す位置情報をサービスセンタで得るのに必要な送信情報の要求信号を送信する第１の送信手段と、他の通信端末装置より送られてくる送信情報を受信する第１の受信手段と、この第１の受信手段で受信された送信情報をサービスセンタに送信する第２の送信手段と、サービスセンタより送られてくる他の通信端末装置の位置を示す位置情報を受信する第２の受信手段と、この第２の受信手段で受信された位置情報で示される位置を報知する報知手段とを備えるものである。
【００１５】
請求項６の発明に係る通信端末装置は、自己の位置を示す位置情報をサービスセンタで得るのに必要な送信情報を得る情報取得手段と、他の通信端末装置より送られてくる送信情報の要求信号を受信する受信手段と、この受信手段が送信情報の要求信号を受信するとき、情報取得手段で得られる送信情報を他の通信端末装置に送信する送信手段とを備えるものである。
【００１６】
請求項１１の発明に係る通信システムは、請求項５に記載の第１の通信端末装置と、請求項６に記載の第２の通信端末装置と、サービスセンタとを備えるものである。そして、サービスセンタは、第１の通信端末装置より送られてくる送信情報を受信する第４の受信手段と、この第４の受信手段で受信される送信情報に基づいて第２の通信端末装置の位置を示す位置情報を得る情報処理手段と、この情報処理手段で得られる位置情報を第１の通信端末装置に送信する第４の送信手段とを有するものである。
【００１７】
第１の通信端末装置より第２の通信端末装置に送信情報（基地局識別情報群、あるいは基地局識別情報群および受信信号強度データなど）の要求信号が送信されると、この要求信号に応じて第２の通信端末装置より第１の通信端末装置を介してサービスセンタに送信情報が送信される。サービスセンタの情報処理手段では、第２の通信端末装置より送信されてくる送信情報に基づいて第２の通信端末装置の位置を示す位置情報が得られる。この位置情報は第１の通信端末装置に送信される。そして、第１の通信端末装置の報知手段では、その位置情報で示される位置、つまり第２の通信端末装置の位置が報知される。これにより、第１、第２の通信端末装置に大容量のメモリ手段を持たなくても、第１の通信端末装置で、任意の位置にある第２の通信端末装置の位置を示す位置情報を容易に取得できるようになる。
【００１８】
請求項１７の発明に係る通信端末装置は、他の通信端末装置に位置情報の要求信号を送信する送信手段と、サービスセンタより送られてくる他の通信端末装置の位置を示す位置情報を受信する受信手段と、この受信手段で受信された位置情報で示される位置を報知する報知手段とを備えるものである。
【００１９】
請求項１８の発明に係る通信端末装置は、自己の位置を示す位置情報をサービスセンタで得るのに必要な送信情報を得る情報取得手段と、他の通信端末装置より送られてくる位置情報の要求信号を受信する受信手段と、この受信手段が位置情報の要求信号を受信するとき、情報取得手段で得られる送信情報と上記他の通信端末装置の電話番号とをサービスセンタに送信する送信手段とを備えるものである。
【００２０】
請求項２３の発明に係る通信システムは、請求項１７に記載の第１の通信端末装置と、請求項１８に記載の第２の通信端末装置と、サービスセンタとを備えるものである。そして、サービスセンタは、第２の通信端末装置より送られてくる送信情報および第１の通信端末装置の電話番号を受信する第３の受信手段と、この第３の受信手段で受信される送信情報に基づいて第２の通信端末装置の位置を示す位置情報を得る情報処理手段と、この情報処理手段で得られる位置情報を、第３の受信手段で受信される第１の通信端末装置の電話番号を用いて、第１の通信端末装置に送信する第３の送信手段とを有するものである。
【００２１】
第１の通信端末装置より第２の通信端末装置に位置情報の要求信号が送信されると、この要求信号に応じて第２の通信端末装置よりサービスセンタに送信情報（基地局識別情報群、あるいは基地局識別情報群および受信信号強度データなど）および第１の通信端末装置の電話番号が送信される。
【００２２】
サービスセンタの情報処理手段では、第２の通信端末装置より送信されてくる送信情報に基づいて第２の通信端末装置の位置を示す位置情報が得られる。この位置情報は第１の通信端末装置に送信される。そして、第１の通信端末装置の報知手段では、その位置情報で示される位置、つまり第２の通信端末装置の位置が報知される。これにより、第１、第２の通信端末装置に大容量のメモリ手段を持たなくても、第１の通信端末装置で、任意の位置にある第２の通信端末装置の位置を示す位置情報を容易に取得できるようになる。
【発明を実施するための最良の形態】
【００２３】
以下、図面を参照しながら、実施の形態としての通信システムについて説明する。
【００２４】
図１は、第１の実施の形態としての通信システム１０の概略構成を示している。この通信システム１０は、端末機１１（端末Ａ）、端末機１２（端末Ｂ）およびサービスセンタ１３を備えてなるものである。端末機１１および端末機１２は、それぞれ図示しない回線を介してサービスセンタ１３に接続可能とされている。図２は、端末機１１および端末機１２として使用される簡易型携帯電話機（ＰＨＳ：Ｐｅｒｓｏｎａｌ Ｈａｎｄｙｐｈｏｎｅ Ｓｙｓｔｅｍ）１００の構成を示している。
【００２５】
電話機１００は、マイクロコンピュータを有して構成され、システム全体を制御するための制御部１０１と、送受信用のアンテナ１０２と、このアンテナ１０２で捕らえられた所定周波数の受信信号をダウンコンバートしてπ／４シフトＱＰＳＫ（Ｑｕａｄｒａｔｕｒｅ Ｐｈａｓｅ Ｓｈｉｆｔ Ｋｅｙｉｎｇ）信号を得ると共に、後述するディジタル変復調部より出力されるπ／４シフトＱＰＳＫ信号をアップコンバートして所定周波数の送信信号を得るための無線部１０３と、この無線部１０３より出力されるπ／４シフトＱＰＳＫ信号に復調処理をして受信データを得ると共に、後述するＴＤＭＡ（Ｔｉｍｅ Ｄｉｖｉｓｉｏｎ Ｍｕｌｔｉｐｌｅ Ａｃｃｅｓｓ）処理部より出力される送信データに変調処理をしてπ／４ＱＰＳＫ信号を得るディジタル変復調部１０４とを有している。
【００２６】
また、電話機１００は、ディジタル変復調部１０４より出力される受信データ（複数スロットの時分割多重データ）より予め設定された下りスロットのデータを選択し、制御データおよび圧縮音声データに分離すると共に、後述する音声コーデック部より出力される圧縮音声データや、制御部１０１より出力される制御データを予め設定された上りスロットに多重するＴＤＭＡ処理部１０５を有している。
【００２７】
また、電話機１００は、ＴＤＭＡ処理部１０５より出力される圧縮音声データに対して復号化処理（誤り訂正処理を含む）をして受信音声信号を得ると共に、送信音声信号に対して圧縮符号化処理（誤り訂正符号の付加処理を含む）をして圧縮音声データを得るための音声コーデック部１０６と、この音声コーデック部１０６より出力される受信音声信号を増幅する低周波アンプ１０７と、このアンプ１０７の出力音声信号による音声を出力する受話器としてのスピーカ１０８と、音声コーデック部１０６より出力される受信音声信号がＤＴＭＦ信号である場合、このＤＴＭＦ信号を復調して４ビット（１ニブル）のＤＴＭＦ信号コードを得るＤＴＭＦ復調器１０９とを有している。この場合、ＤＴＭＦ復調器１０９で得られるＤＴＭＦ信号コードは制御部１０１に供給される。
【００２８】
また、電話機１００は、送話器としてのマイクロホン１１１と、このマイクロホン１１１より出力される音声信号を増幅する低周波アンプ１１２と、制御部１０１より供給されるＤＴＭＦ信号コードをＤＴＭＦ信号に変換するＤＴＭＦ変調器１１３と、アンプ１１２の出力音声信号またはＤＴＭＦ変調器１１３の出力ＤＴＭＦ信号を選択的に取り出して音声コーデック部１０６に送信音声信号として供給する切換スイッチ１１４とを有している。
【００２９】
この場合、切換スイッチ１１４のａ側の固定端子にはアンプ１１２の出力側が接続され、そのｂ側の固定端子にはＤＴＭＦ変調器１１３の出力側が接続される。切換スイッチ１１４は、制御部１０１によって制御され、ＤＴＭＦ信号を送信する場合はｂ側に接続され、その他の通話等を行う場合はａ側に接続される。
【００３０】
また、電話機１００は、ユーザが各種のキー操作を行うための操作部１１５と、液晶表示器等で構成される表示部１１６と、電話帳データや文字メッセージデータ等を記憶するための不揮発性メモリ１１７と、着信時に制御部１０１の制御によって呼出音を出力する呼出音出力部１１８とを有している。これら操作部１１５、表示部１１６、不揮発性メモリ１１７および呼出音出力部１１８は、それぞれ制御部１０１に接続されている。
【００３１】
ここで、操作部１１５には、発呼を指示したり、着信時に応答するための通話キー、通話を終了するための終話キー、電話番号を入力するためのテンキー、電話帳データを検索するためのキー、電話帳データを記憶するためのキー、他の簡易型携帯電話機の位置情報を取得するためのキー等が配されている。表示部１１６には、システムの状態の他に、電話帳データの検索で選択された電話帳データ、テンキーで入力される電話番号、取得された他の簡易型携帯電話機の位置情報で示される位置等が表示される。
【００３２】
また、制御部１０１は、上述せずもマイクロコンピュータの動作プログラム、ＤＴＭＦ信号コードをキャラクタコードに変換するための変換フォーマット等が書き込まれているＲＯＭ（ｒｅａｄ ｏｎｌｙ ｍｅｍｏｒｙ）１１９と、ＤＴＭＦ復調器１０９で得られるＤＴＭＦ信号コード等を一時的に書き込むための作業用のＲＡＭ（ｒａｎｄｏｍ ａｃｃｅｓｓ ｍｅｍｏｒｙ）１２０とを備えている。
【００３３】
次に、電話機１００の動作を説明する。電源オン時には、制御チャネルとの同期がはずれた状態にあるので、基地局より送信される制御チャネルを受信して制御チャネルとの同期確立が行われる。この場合、利用可能な公衆基地局の制御チャネルを順次受信する、いわゆるショートトラッキングが行われ、受信信号強度（ＲＳＳＩ：Ｒｅｃｅｉｖｅ Ｓｉｇｎａｌ Ｓｔｒｅｎｇｔｈ Ｉｎｄｉｃａｔｅ）が選択レベル以上で、かつ最大の制御チャネルが選択され、その制御チャネルとの同期確立が行われる。そしてその後に、同期確立が行われた制御チャネルに係る基地局のエリアにいるという位置登録が行われる。この位置登録は通話チャネルを使用して行われる。位置登録が終了した後は、同期確立が行われた制御チャネルの受信状態に戻って待ち受け状態となる。
【００３４】
図３は、論理制御チャネル（ＬＣＣＨ）の構成例を示している。ただし、ＴＤＭＡフレームの第１スロットを論理制御チャネル（ＬＣＣＨ）に割り当てると共に、ＬＣＣＨスーパーフレームをｎＴＤＭＡフレーム毎のｍ個の間欠送信スロットで構成した例である。
【００３５】
基地局（ＣＳ）の使用するスロットは、下り（送信）の４スロットとそれに続く上り（受信）の４スロットとによって５［ｍｓ］のＴＤＭＡフレームが構成される。そして、下り論理制御チャネル（ＬＣＣＨ）を構成するスロットはｎＴＤＭＡフレーム毎に存在する。すなわち、下り間欠送信周期は５×ｎ［ｍｓ］である。
【００３６】
また、すべてのＬＣＣＨ要素のスロット位置を指定する下り論理制御チャネル（ＬＣＣＨ）の最小周期（５×ｎ×ｍ［ｍｓ］）がＬＣＣＨスーパーフレームと定義される。下り論理制御チャネル（ＬＣＣＨ）は、報知チャネル（ＢＣＣＨ）、一斉呼び出しチャネル（ＰＣＨ）、個別セル用チャネル（ＳＣＣＨ）とで構成される。ＢＣＣＨはＬＣＣＨスーパーフレームの先頭スロットで送信され、このＢＣＣＨの送信によりＬＣＣＨの先頭位置が通知される。一方、上り論理制御チャネル（ＬＣＣＨ）は、個別セル用チャネル（ＳＣＣＨ）で構成される。上り論理制御チャネル（ＬＣＣＨ）のスロット位置は、ＢＣＣＨ上の無線チャネル情報報知メッセージ中の制御用キャリア構成情報要素によって基地局（ＣＳ）から移動局（ＰＳ）に通知される。
【００３７】
図４は、ＢＣＣＨの構成を示している。ＢＣＣＨはＣＳからＰＳに制御情報を報知するための下り片方向チャネルである。このＢＣＣＨによって、チャネル構造に関する情報、システム情報等が転送される。
【００３８】
ＢＣＣＨは、プリアンプルパターン（ＰＲ）、同期用ユニークワード（ＵＷ）、チャネル種別コード（ＣＩ）、発識別符号、データ（ＢＣＣＨ）および巡回誤り検出符号（ＣＲＣ）で構成される。そして、発識別符号（ＣＳ−ＩＤ）は、事業者識別符号、一斉呼出エリア番号および付加ＩＤで構成される。また、データ（ＢＣＣＨ）は、オクテット１〜オクテット８で構成される。そして、オクテット１の下位７ビットによって、オクテット２〜オクテット８によるメッセージの種別が示される。
【００３９】
図５は、ＳＣＣＨの構成を示している。ＳＣＣＨはＣＳとＰＳの間で呼接続に必要な情報を転送するポイント−ポイントの双方向チャネルである。このＳＣＣＨでは、セル毎に独立の情報が転送される。
【００４０】
ＳＣＣＨは、プリアンプルパターン（ＰＲ）、同期用ユニークワード（ＵＷ）、チャネル種別コード（ＣＩ）、発識別符号、着識別符号、データ（ＳＣＣＨ）および巡回誤り検出符号（ＣＲＣ）で構成される。そして、ＳＣＣＨ（下り）において、発識別符号（ＣＳ−ＩＤ）は事業者識別符号、一斉呼出エリア番号および付加ＩＤで構成され、着識別符号はＰＳ呼出符号（ＰＳ−ＩＤ）で構成される。図示せずも、ＳＣＣＨ（上り）では、上述した発識別符号が着識別符号となり、上述した着識別符号が発識別符号となる。また、データ（ＳＣＣＨ）は、オクテット１〜オクテット５で構成される。そして、オクテット１の下位７ビットによって、オクテット２〜オクテット５によるメッセージの種別が示される。
【００４１】
ＰＣＨは、ＣＳからＰＳに対して、単一セルあるいは複数セルの広いエリア（一斉呼出エリア）に同一の情報を一斉に転送するポイント−マルチポイントの下り片方向チャネルである。このＰＣＨによって、ＣＳはＰＳに対して着信があったことを通知する。図３に示すように、ＬＣＣＨスーパーフレームには複数個のＰＣＨ（ＰＣＨ１〜ＰＣＨｎ）が存在する。
【００４２】
図６は、ＰＣＨの構成を示している。ＰＣＨは、プリアンプルパターン（ＰＲ）、同期用ユニークワード（ＵＷ）、チャネル種別コード（ＣＩ）、発識別符号、データ（ＰＣＨ）および巡回誤り検出符号（ＣＲＣ）で構成される。そして、発識別符号は、事業者識別符号、一斉呼出エリア番号および付加ＩＤで構成される。また、データ（ＰＣＨ）は、オクテット１〜オクテット８で構成される。
【００４３】
この場合、ＰＣＨは単一のメッセージのみを定義するため、メッセージ種別を示す領域はない。オクテット１の５〜７ビットで、呼出なし、ＢＣＤ１３桁以下のＰＳ番号による呼出サービス、１６進７桁のＰＳ番号による呼出サービスである等の呼出サービス種別が表示される。そして、オクテット１〜７によってＰＳ番号が示される。さらに、オクテット８によって、報知チャネル（ＢＣＣＨ）の受信指示が行われる。後述する間欠受信時に変化が生じた場合、ＰＳは、この受信指示によってＢＣＣＨを受信する。
【００４４】
なお、ＰＳは、着信群番号によって複数のＰＣＨ（ＰＣＨ１〜ＰＣＨｎ）より受信すべきＰＣＨを認識する。ＰＳは、ＰＳ番号とＣＳからのＢＣＣＨの内容（ｎPCH、ｎGROUP、制御用キャリア構成）に基づき、（１）式によって、着信群番号が算出される。ここで、ｎPCHは同一着信群数、ｎGROUPは着信群分ファクタである。また、２周波（２ＬＣＣＨ）を使用しＰＣＨの着信群が相互に関係する場合はＸ＝２であり、それ以外ではＸ＝１である。
着信群番号＝（ＰＳ番号）ＭＯＤ（ｎPCH×ｎGROUP×Ｘ）＋１ ・・・（１）
【００４５】
上述したように、位置登録が終了した後は、制御チャネルの受信状態に戻って待ち受け状態となる。この待ち受け状態では、電話機（ＰＳ）１０は、算出した着信群番号に対応するＰＣＨのみを受信する間欠受信に移行する。この場合、算出した着信群番号に対応するＰＣＨはＬＣＣＨスーパーフレーム毎に存在することから、従来待ち受け状態では、例えば１．２秒毎の間欠受信が行われている。
【００４６】
図７は、待ち受け状態におけるＰＣＨの間欠受信の動作を示している。自己の着信群番号に対応するＰＣＨがＰＣＨａであるとする。まず、最初に、制御チャネルの連続受信を行って、ＢＣＣＨを受信する。このＢＣＣＨ中の情報より自己の着信群番号を算出し、その着信群番号に基づいて受信タイミングを算出してＰＣＨａを受信する。そして、それ以後は、一定の受信タイミングでＰＣＨａのみを間欠受信する。
【００４７】
通話を行う場合の動作について説明する。この場合、例えば操作部１１５のキー操作で相手側の電話番号を入力し、あるいは電話帳データを検索した後に通話キーを操作すると、発呼処理が行われる。すなわち、制御部１０１より制御データとして電話番号データ等がＴＤＭＡ処理部１０５に供給されて制御チャネルで基地局に送信される。これにより、相手側との回線接続が行われて通話可能状態となる。
【００４８】
ここで、通話は通話チャネルを使用して行われるが、回線接続処理時に制御チャネルを使用して基地局より通話チャネルの通信周波数およびスロット位置のデータが制御データとして送信されてＴＤＭＡ処理部１０５より制御部１０１に供給される。制御部１０１は、通信周波数データに基づいて無線部１０３を制御して送受信周波数が通話チャネルの通信周波数と一致するようにすると共に、スロット位置データに基づいてＴＤＭＡ処理部１０５で選択されるスロットを設定する。よって、通話は基地局より通知された通話チャネルを使用して行われる。
【００４９】
図８は、通話時における通信用物理スロットの構成を示している。基地局（ＣＳ）の使用するスロットは、下り（送信）の４スロットとそれに続く上り（受信）の４スロットとによって、５［ｍｓ］のＴＤＭＡフレームが構成される。ＰＳは、各ＴＤＭＡフレームにおいて、上りの設定スロットでデータをＣＳに送信し、下りの設定スロットのデータを受信データとする。
【００５０】
また、制御チャネルを使用して基地局より制御データとして呼出データが送信され、この呼出データがＴＤＭＡ処理部１０５より制御部１０１に供給されて着信が検出されると、制御部１０１によって呼出音出力部１１８が制御されて呼出音が出力される。
この呼び出し動作が行われている状態で、通話キーが操作されて応答があると、制御部１０１より制御データとして応答データがＴＤＭＡ処理部１０５に供給されて基地局に制御チャネルで送信される。これにより、相手側との回線接続が行われて通話可能状態となる。この場合も、通話は基地局より通知された通話チャネルを使用して行われる。
【００５１】
通話状態では、通話チャネルで送信されてきた圧縮音声データがＴＤＭＡ処理部１０５より出力される。この圧縮音声データは音声コーデック部１０６に供給されて復号化処理が行われた後にアナログ信号に変換される。そして、音声コーデック部１０６より出力される受信音声信号がアンプ１０７を介してスピーカ１０８に供給され、このスピーカ１０８より受信音声信号による音声が出力される。
【００５２】
また、マイクロホン１１１より出力される送信音声信号はアンプ１１１で増幅された後に音声コーデック部１０６に供給されてディジタル信号に変換された後に圧縮符号化処理されて圧縮音声データが形成される。そして、音声コーデック部１０６より出力される圧縮音声データがＴＤＭＡ処理部１０５に供給され、通話チャネルで相手側に送信される。
【００５３】
次に、サービスセンタ１３について説明する。このサービスセンタ１３は、図示せずも、基地局識別情報群（ＣＳ−ＩＤ群）とそれに対応した位置情報（例えば位置を示す文字列）との組み合わせが複数個記憶されたメモリ手段と、端末機１２より送られてくる基地局識別情報群とメモリ手段に記憶されている複数個の組み合わせのそれぞれの基地局識別情報群とを比較し、基地局識別情報の一致個数が最も多い上記組み合わせを構成する位置情報を得る情報処理手段とを有している。
【００５４】
図１に示す通信システム１０の動作を簡単に説明する。探索側の端末機１１の操作部１１５で被探索側の端末機１２の位置情報を取得するための操作が行われると、端末機１２の電話番号Ｓ１１が端末機１１よりサービスセンタ１３に送信され、このサービスセンタ１３より端末機１２に基地局識別情報群の要求信号Ｓ１２が送信される。そして、この要求信号Ｓ１２に応じて、端末機１２よりサービスセンタ１３に基地局識別情報群Ｓ１３が送信される。この基地局識別情報群Ｓ１３は、端末機１２で利用可能な公衆基地局の制御チャネルを順次受信するサーチ動作をして得られる基地局識別情報のうち、受信信号強度が上位所定数に入る制御チャネルに係る基地局識別情報からなるものである。上述せずも、基地局識別情報群Ｓ１３を得る動作は、例えば一定期間毎に実行され、あるいは基地局識別情報群の要求信号Ｓ１２が供給されるときに実行される。
【００５５】
また、サービスセンタ１３の情報処理手段では、端末機１２より送信されてくる基地局識別情報群Ｓ１３とメモリ手段に記憶されている複数個の組み合わせのそれぞれの基地局識別情報群とが比較され、基地局識別情報の一致個数が最も多い上記組み合わせを構成する位置情報が得られる。この位置情報Ｓ１４は端末機１２の位置を示すものとなり、サービスセンタ１３より端末機１１に送信される。そして、端末機１１の表示部１１６（図２参照）には、その位置情報Ｓ１４で示される位置、つまり被探索側の端末機１２の位置が表示される。
【００５６】
次に、図９の制御シーケンス図を使用し、図１に示す通信システム１０の動作をさらに説明する。端末機１１は、ステップＳＴ１１１で、端末機１２の位置情報を取得するための操作が行われると、ステップＳＴ１１２で、サービスセンタ１３に端末機１２の電話番号Ｓ１１を送信する。この電話番号Ｓ１１の送信は、例えばＤＴＭＦ信号で行われる。
【００５７】
サービスセンタ１３は、端末機１２の電話番号Ｓ１１を受信すると、ステップＳＴ１３１で、セキュリティチェックをする。すなわち、サービスセンタ１３には上述せずも位置情報の送信を許可する端末装置が予め登録されており、サービスセンタ１３は、端末機１１が登録されている端末装置に含まれているか否かを確認する。端末機１１が位置情報の送信を許可する端末装置でないときは、以後の動作は行われず、結果的にサービスセンタ１３より端末機１１には端末機１２の位置情報Ｓ１４は送信されなくなる。
【００５８】
端末機１１が位置情報の送信を許可する端末装置であるとき、サービスセンタ１３は、ステップＳＴ１３２で、端末機１１より送信された端末機１２の電話番号を使用して、端末機１２に基地局識別情報群の要求信号Ｓ１２を送信する。この要求信号Ｓ１２の送信は、例えばＤＴＭＦ信号で行われる。端末機１２は、基地局識別情報群の要求信号Ｓ１２を受信すると、ステップＳＴ１２１で、サーチ動作をして基地局識別情報群（ＣＳ−ＩＤ群）Ｓ１３を得る。すなわち、端末機１２は、利用可能な公衆基地局の制御チャネルを順次受信し、受信信号強度が上位所定数に入る制御チャネルに係るＣＳ−ＩＤを基地局識別情報群Ｓ１３とする。
【００５９】
なお、端末機１２は、この基地局識別情報群を得るサーチ動作を一定期間毎に実行し、その都度得られる基地局識別情報群をＲＡＭ１２０等に記憶しておき、ステップＳＴ１２１ではサーチ動作をせずに、ＲＡＭ１２０等より読み出すことで基地局識別情報群Ｓ１３を得るようにしてもよい。
【００６０】
端末機１２は、ステップＳＴ１２１で基地局識別情報群Ｓ１３を得た後、ステップＳＴ１２２で、その基地局識別情報群Ｓ１３をサービスセンタ１３に送信する。この基地局識別情報群Ｓ１３の送信は、例えばＤＴＭＦ信号で行われる。
【００６１】
サービスセンタ１３は、基地局識別情報群Ｓ１３を受信すると、ステップＳＴ１３３で、その基地局識別情報群Ｓ１３に対応する位置情報Ｓ１４を得る。この場合、基地局識別情報群Ｓ１３と、サービスセンタ１３の上述したメモリ手段に記憶されている複数個の組み合わせのそれぞれの基地局識別情報群（ＣＳ−ＩＤ群）とを比較し、複数個の組み合わせのそれぞれにおけるＣＳ−ＩＤの一致個数を検査し、最も一致個数の多い組み合わせを構成する位置情報を得るようにする。この位置情報Ｓ１４は端末機１２の位置情報であり、サービスセンタ１３は、ステップＳＴ１３４で、この位置情報Ｓ１４を端末機１１に送信する。この位置情報Ｓ１４の送信は、例えばＤＴＭＦ信号で行われる。
【００６２】
端末機１１は、端末機１２の位置情報Ｓ１４を受信すると、ステップＳＴ１１３で、表示部１１６に、その位置情報Ｓ１４で示される位置を表示する。これにより、端末機１１の携帯者は、任意の位置にある端末機１２の位置を確認できることとなる。
【００６３】
なお、図９の制御シーケンス図では、サービスセンタ１３がステップＳＴ１３１でセキュリティチェックを行うものであったが、端末機１２がサービスセンタ１３からの基地局識別情報群の要求信号Ｓ１２を受信した後に行うようにしてもよい。この場合、端末機１２には基地局識別情報群の送信を許可する端末装置が予め登録され、端末機１２は、端末機１１が登録されている端末装置に含まれているか否かを確認する。端末機１１が基地局識別情報群の送信を許可する端末装置でないときは、以後の動作は行われず、結果的にサービスセンタ１３より端末機１１には端末機１２の位置情報Ｓ１４は送信されなくなる。
【００６４】
以上説明したように、第１の実施の形態においては、サービスセンタ１３は基地局識別情報群（ＣＳ−ＩＤ群）とそれに対応した位置情報との組み合わせを記憶したメモリ手段を有し、このサービスセンタ１３でそのメモリ手段を利用して端末機１２の位置情報Ｓ１４を得る処理が行われ、その位置情報Ｓ１４が端末機１１に送信されるものである。したがって、端末機１１や端末機１２に大容量のメモリ手段を持たなくても、端末機１１で任意の位置にある端末機１２の位置情報Ｓ１４を容易に取得でき、端末機１１の携帯者は端末機１２の位置を確認できる。
【００６５】
次に、図１０は、第２の実施の形態としての通信システム１０の概略構成を示している。この通信システム２０は、端末機２１（端末Ａ）、端末機２２（端末Ｂ）およびサービスセンタ２３を備えてなるものである。端末機２１およびサービスセンタ２３は、それぞれ図示しない回線を介して端末機２２に接続可能とされている。端末機２１および端末機２２としても、図２に示す簡易型携帯電話機１００が使用される。また、図１に示すサービスセンタ１３と同様に、サービスセンタ２３は、基地局識別情報群（ＣＳ−ＩＤ群）とそれに対応した位置情報との組み合わせが複数個記憶されたメモリ手段と、端末機２２より送られてくる基地局識別情報群とメモリ手段に記憶されている複数個の組み合わせのそれぞれの基地局識別情報群とを比較し、基地局識別情報の一致個数が最も多い上記組み合わせを構成する位置情報を得る情報処理手段とを有している。
【００６６】
図１０に示す通信システム２０の動作を簡単に説明する。探索側の端末機２１の操作部１１５で被探索側の端末機２２の位置情報を取得するための操作が行われると、端末機２１より端末機２２に位置情報の要求信号Ｓ２１が送信され、この要求信号Ｓ２１に応じて、端末機２２よりサービスセンタ２３に基地局識別情報群Ｓ２２が送信される。この基地局識別情報群Ｓ２２は、端末機２２で利用可能な公衆基地局の制御チャネルを順次受信するサーチ動作をして得られる基地局識別情報のうち、受信信号強度が上位所定数に入る制御チャネルに係る基地局識別情報からなるものである。基地局識別情報群Ｓ２２を得る動作は、例えば一定期間毎に実行され、あるいは位置情報の要求信号Ｓ２１が供給されるときに実行される。
【００６７】
また、サービスセンタ２３の情報処理手段では、端末機２２より送信されてくる基地局識別情報群Ｓ２２とメモリ手段に記憶されている複数個の組み合わせのそれぞれの基地局識別情報群とが比較され、基地局識別情報の一致個数が最も多い上記組み合わせを構成する位置情報が得られる。この位置情報Ｓ２３は端末機２２の位置を示すものとなり、サービスセンタ２３より端末機２２を介して端末機２１に送信される。そして、端末機２１の表示部１１６（図２参照）には、その位置情報Ｓ２３で示される位置、つまり被探索側の端末機２２の位置が表示される。
【００６８】
次に、図１１の制御シーケンス図を使用し、図１０に示す通信システム２０の動作をさらに説明する。端末機２１は、ステップＳＴ２１１で、端末機２２の位置情報を取得するための操作が行われると、ステップＳＴ２１２で、端末機２２に位置情報の要求信号Ｓ２１を送信する。この要求信号Ｓ２１の送信は、例えばＤＴＭＦ信号で行われる。
【００６９】
端末機２２は、位置情報の要求信号Ｓ２１を受信すると、ステップＳＴ２２１で、セキュリティチェックをする。すなわち、端末機２２には上述せずも位置情報の送信を許可する端末装置が予め登録されており、端末機２２は、端末機２１が登録されている端末装置に含まれているか否かを確認する。端末機２１が位置情報の送信を許可する端末装置でないときは、以後の動作は行われず、結果的に端末機２２より端末機２１には端末機２２の位置情報Ｓ２３は送信されなくなる。
【００７０】
端末機２１が位置情報の送信を許可する端末装置であるとき、端末機２２は、ステップＳＴ２２２で、サーチ動作をして基地局識別情報群（ＣＳ−ＩＤ群）Ｓ２２を得る。すなわち、端末機２２は、利用可能な公衆基地局の制御チャネルを順次受信し、受信信号強度が上位所定数に入る制御チャネルに係るＣＳ−ＩＤを基地局識別情報群Ｓ２２とする。そして、端末機２２は、ステップＳＴ２２３で、その基地局識別情報群Ｓ２２をサービスセンタ２３に送信する。この識別情報信号Ｓ２２の送信は、例えばＤＴＭＦ信号で行われる。
【００７１】
なお、端末機２２は、この基地局識別情報群を得るサーチ動作を一定期間毎に実行し、その都度得られる基地局識別情報群をＲＡＭ１２０等に記憶しておき、ステップＳＴ２２２ではサーチ動作をせずに、ＲＡＭ１２０等より読み出すことで基地局識別情報群Ｓ２２を得るようにしてもよい。
【００７２】
サービスセンタ２３は、基地局識別情報群Ｓ２２を受信すると、ステップＳＴ２３１で、その基地局識別情報群Ｓ２２に対応する位置情報Ｓ２３を得る。この場合、基地局識別情報群Ｓ２２と、サービスセンタ２３の上述したメモリ手段に記憶されている複数個の組み合わせのそれぞれの基地局識別情報群（ＣＳ−ＩＤ群）とを比較し、複数個の組み合わせのそれぞれにおけるＣＳ−ＩＤの一致個数を検査し、最も一致個数の多い組み合わせを構成する位置情報を得るようにする。この位置情報Ｓ２３は端末機２２の位置情報であり、サービスセンタ２３は、ステップＳＴ２３２で、この位置情報Ｓ２３を端末機２２に送信する。この位置情報Ｓ２３の送信は、例えばＤＴＭＦ信号で行われる。
【００７３】
端末機２２は、端末機２２の位置情報Ｓ２３を受信すると、ステップＳＴ２２４で、その位置情報Ｓ２３をＲＡＭ１２０等に記憶し、ステップＳＴ２２５で、その位置情報Ｓ２３を端末機２１に送信する。この位置情報Ｓ２３の送信は、例えばＤＴＭＦ信号で行われる。端末機２１は、端末機２２の位置情報Ｓ２３を受信すると、ステップＳＴ２１３で、表示部１１６に、その位置情報Ｓ２３で示される位置を表示する。これにより、端末機２１の携帯者は、任意の位置にある端末機２２の位置を確認できることとなる。
【００７４】
以上説明したように、第２の実施の形態においては、サービスセンタ２３は基地局識別情報群（ＣＳ−ＩＤ群）とそれに対応した位置情報との組み合わせを記憶したメモリ手段を有し、このサービスセンタ２３でそのメモリ手段を利用して端末機２２の位置情報Ｓ２３を得る処理が行われ、その位置情報Ｓ２３が端末機２２を介して端末機２１に送信されるものである。したがって、端末機２１や端末機２２に大容量のメモリ手段を持たなくても、端末機２１で任意の位置にある端末機２２の位置情報Ｓ２３を容易に取得でき、端末機２１の携帯者は端末機２２の位置を確認できる。
【００７５】
次に、図１２は、第３の実施の形態としての通信システム３０の概略構成を示している。この通信システム３０は、端末機３１（端末Ａ）、端末機３２（端末Ｂ）およびサービスセンタ３３を備えてなるものである。端末機３２およびサービスセンタ３３は、それぞれ図示しない回線を介して端末機３１に接続可能とされている。端末機３１および端末機３２としても、図２に示す簡易型携帯電話機１００が使用される。また、図１に示すサービスセンタ１３と同様に、サービスセンタ３３は、基地局識別情報群（ＣＳ−ＩＤ群）とそれに対応した位置情報との組み合わせが複数個記憶されたメモリ手段と、端末機３２より端末機３１を介して送られてくる基地局識別情報群とメモリ手段に記憶されている複数個の組み合わせのそれぞれの基地局識別情報群とを比較し、基地局識別情報の一致個数が最も多い上記組み合わせを構成する位置情報を得る情報処理手段とを有している。
【００７６】
図１２に示す通信システム３０の動作を簡単に説明する。探索側の端末機３１の操作部１１５で被探索側の端末機３２の位置情報を取得するための操作が行われると、端末機３１より端末機３２に基地局識別情報群の要求信号Ｓ３１が送信され、この要求信号Ｓ３１に応じて端末機３２より端末機３１を介してサービスセンタ３３に基地局識別情報群Ｓ３２が送信される。この基地局識別情報群Ｓ３２は、端末機３２で利用可能な公衆基地局の制御チャネルを順次受信するサーチ動作をして得られる基地局識別情報のうち、受信信号強度が上位所定数に入る制御チャネルに係る基地局識別情報からなるものである。基地局識別情報群Ｓ３２を得る動作は、例えば一定期間毎に実行され、あるいは基地局識別情報群の要求信号Ｓ３１が供給されるときに実行される。
【００７７】
サービスセンタ３３の情報処理手段では、基地局識別情報群Ｓ３２とメモリ手段に記憶されている複数個の組み合わせのそれぞれの基地局識別情報群とが比較され、基地局識別情報の一致個数が最も多い上記組み合わせを構成する位置情報が得られる。この位置情報Ｓ３３は端末機３２の位置を示すものとなり、端末機３１に送信される。そして、端末機３１の表示部１１６（図２参照）には、その位置情報Ｓ３３で示される位置、つまり被探索側の端末機３２の位置が表示される。
【００７８】
次に、図１３の制御シーケンス図を使用し、図１２に示す通信システム３０の動作をさらに説明する。端末機３１は、ステップＳＴ３１１で、端末機３２の位置情報を取得するための操作が行われると、ステップＳＴ３１２で、端末機３２に基地局識別情報群の要求信号Ｓ３１を送信する。この要求信号Ｓ３１の送信は、例えばＤＴＭＦ信号で行われる。
【００７９】
端末機３２は、要求信号Ｓ３１を受信すると、ステップＳＴ３２１で、セキュリティチェックをする。すなわち、端末機３２には上述せずも基地局識別情報群の送信を許可する端末装置が予め登録されており、端末機３２は、端末機３１が登録されている端末装置に含まれているか否かを確認する。端末機３１が基地局識別情報群の送信を許可する端末装置でないときは、以後の動作は行われず、結果的にサービスセンタ３３より端末機３１には端末機３２の位置情報Ｓ３３は送信されなくなる。
【００８０】
端末機３１が基地局識別情報群の送信を許可する端末装置であるとき、端末機３２は、ステップＳＴ３２２で、ショートトラッキングをして基地局識別情報群（ＣＳ−ＩＤ群）Ｓ３２を得る。すなわち、端末機３２は、利用可能な公衆基地局の制御チャネルを順次受信し、受信信号強度が上位所定数に入る制御チャネルに係るＣＳ−ＩＤを基地局識別情報群Ｓ３２とする。そして、端末機３２は、ステップＳＴ３２３で、その基地局識別情報群Ｓ３２を端末機３１に送信する。この基地局識別情報群Ｓ３２の送信は、例えばＤＴＭＦ信号で行われる。
【００８１】
なお、端末機３２は、この基地局識別情報群を得るサーチ動作を一定期間毎に実行し、その都度得られる基地局識別情報群をＲＡＭ１２０等に記憶しておき、ステップＳＴ３２２ではサーチ動作をせずに、ＲＡＭ１２０等より読み出すことで基地局識別情報群Ｓ３２を得るようにしてもよい。
【００８２】
端末機３１は、基地局識別情報群Ｓ３２を受信すると、ステップＳＴ３１３で、その基地局識別情報群Ｓ３２をＲＡＭ１２０等に記憶し、ステップＳＴ３１４で、その基地局識別情報群Ｓ３２をサービスセンタ３３に送信する。この基地局識別情報群Ｓ３２の送信は、例えばＤＴＭＦ信号で行われる。
【００８３】
サービスセンタ３３は、基地局識別情報群Ｓ３２を受信すると、ステップＳＴ３３１で、その基地局識別情報群Ｓ３２に対応する位置情報Ｓ３３を得る。この場合、基地局識別情報群Ｓ３２と、サービスセンタ３３の上述したメモリ手段に記憶されている複数個の組み合わせのそれぞれの基地局識別情報群（ＣＳ−ＩＤ群）とを比較し、複数個の組み合わせのそれぞれにおけるＣＳ−ＩＤの一致個数を検査し、最も一致個数の多い組み合わせを構成する位置情報を得るようにする。この位置情報Ｓ３３は端末機３２の位置情報であり、サービスセンタ３３は、ステップＳＴ３３２で、この位置情報Ｓ３３を端末機３１に送信する。この位置情報Ｓ３３の送信は、例えばＤＴＭＦ信号で行われる。
【００８４】
端末機３１は、端末機３２の位置情報Ｓ３３を受信すると、ステップＳＴ３１５で、表示部１１６に、その位置情報Ｓ３３で示される位置を表示する。これにより、端末機３１の携帯者は、任意の位置にある端末機３２の位置を確認できることとなる。
【００８５】
以上説明したように、第３の実施の形態においては、サービスセンタ３３は基地局識別情報群（ＣＳ−ＩＤ群）とそれに対応した位置情報との組み合わせを記憶したメモリ手段を有し、このサービスセンタ３３でそのメモリ手段を利用して端末機３２の位置情報Ｓ３３を得る処理が行われ、その位置情報Ｓ３３が端末機３１に送信されるものである。したがって、端末機３１や端末機３２に大容量のメモリ手段を持たなくても、端末機３１で任意の位置にある端末機３２の位置情報Ｓ３３を容易に取得でき、端末機３１の携帯者は端末機３２の位置を確認できる。
【００８６】
次に、図１４は、第４の実施の形態としての通信システム４０の概略構成を示している。この通信システム４０は、端末機４１（端末Ａ）、端末機４２（端末Ｂ）およびサービスセンタ４３を備えてなるものである。端末機４１と端末機４２、端末機４２とサービスセンタ４３、さらにはサービスセンタ４３と端末機４１は、それぞれ図示しない回線を介して接続可能とされている。端末機４１および端末機４２としても、図２に示す簡易型携帯電話機１００が使用される。また、図１に示すサービスセンタ１３と同様に、サービスセンタ４３は、基地局識別情報群（ＣＳ−ＩＤ群）とそれに対応した位置情報との組み合わせが複数個記憶されたメモリ手段と、端末機４２より送られてくる基地局識別情報群とメモリ手段に記憶されている複数個の組み合わせのそれぞれの基地局識別情報群とを比較し、基地局識別情報の一致個数が最も多い上記組み合わせを構成する位置情報を得る情報処理手段とを有している。
【００８７】
図１４に示す通信システム４０の動作を簡単に説明する。探索側の端末機４１の操作部１１５で被探索側の端末機４２の位置情報を取得するための操作が行われると、端末機４１より端末機４２に位置情報の要求信号Ｓ４１が送信され、この要求信号Ｓ４１に応じて端末機４２よりサービスセンタ４３に基地局識別情報群Ｓ４２ａおよび端末機４１の電話番号Ｓ４２ｂが送信される。基地局識別情報群Ｓ４２ａは、端末機４２で利用可能な公衆基地局の制御チャネルを順次受信するサーチ動作をして得られる基地局識別情報のうち、受信信号強度が上位所定数に入る制御チャネルに係る基地局識別情報からなるものである。この基地局識別情報群Ｓ４２ａを得る動作は、例えば一定期間毎に実行され、あるいは位置情報の要求信号Ｓ４１が供給されるときに実行される。
【００８８】
サービスセンタ４３の情報処理手段では、端末機４２より送信されてくる基地局識別情報群Ｓ４２ａとメモリ手段に記憶されている複数個の組み合わせのそれぞれの基地局識別情報群とが比較され、基地局識別情報の一致個数が最も多い上記組み合わせを構成する位置情報が得られる。この位置情報Ｓ４３は端末機４２の位置を示すものとなり、端末機４１の電話番号Ｓ４２ｂを使用することで、端末機４１に送信される。そして、端末機４１の表示部１１６（図２参照）には、その位置情報Ｓ４３で示される位置、つまり被探索側の端末機４２の位置が表示される。
【００８９】
次に、図１５の制御シーケンス図を使用し、図１４に示す通信システム４０の動作をさらに説明する。端末機４１は、ステップＳＴ４１１で、端末機４２の位置情報を取得するための操作が行われると、ステップＳＴ４１２で、端末機４２に位置情報の要求信号Ｓ４１を送信する。この要求信号Ｓ４１の送信は、例えばＤＴＭＦ信号で行われる。
【００９０】
端末機４２は、要求信号Ｓ４１を受信すると、ステップＳＴ４２１で、セキュリティチェックをする。すなわち、端末機４２には上述せずも基地局識別情報群の送信を許可する端末装置が予め登録されており、端末機４２は、端末機４１が登録されている端末装置に含まれているか否かを確認する。端末機４１が基地局識別情報群の送信を許可する端末装置でないときは、以後の動作は行われず、結果的にサービスセンタ４３より端末機４１には端末機４２の位置情報Ｓ４３は送信されなくなる。
【００９１】
端末機４１が基地局識別情報群の送信を許可する端末装置であるとき、端末機４２は、ステップＳＴ４２２で、サーチ動作をして基地局識別情報群（ＣＳ−ＩＤ群）Ｓ４２ａを得る。すなわち、端末機４２は、利用可能な公衆基地局の制御チャネルを順次受信し、受信信号強度が上位所定数に入る制御チャネルに係るＣＳ−ＩＤを基地局識別情報群Ｓ４２ａとする。そして、端末機４２は、ステップＳＴ４２３で、その基地局識別情報群Ｓ４２ａと、端末機４１の電話番号Ｓ４２ｂをサービスセンタ４３に送信する。この基地局識別情報群Ｓ４２ａ、電話番号Ｓ４２ｂの送信は、例えばＤＴＭＦ信号で行われる。電話番号Ｓ４２ｂは、後述するようにサービスセンタ４３より端末機４１に位置情報Ｓ４３を送信する際、サービスセンタ４３が端末機４１に発呼するために使用される。
【００９２】
なお、端末機４２は、この基地局識別情報群を得るサーチ動作を一定期間毎に実行し、その都度得られる基地局識別情報群をＲＡＭ１２０等に記憶しておき、ステップＳＴ４２２ではサーチ動作をせずに、ＲＡＭ１２０等より読み出すことで基地局識別情報群Ｓ４２ａを得るようにしてもよい。
【００９３】
サービスセンタ４３は、基地局識別情報群Ｓ４２ａを受信すると、ステップＳＴ４３１で、その基地局識別情報群Ｓ４２ａに対応する位置情報Ｓ４３を得る。この場合、基地局識別情報群Ｓ４２ａと、サービスセンタ４３の上述したメモリ手段に記憶されている複数個の組み合わせのそれぞれの基地局識別情報群（ＣＳ−ＩＤ群）とを比較し、複数個の組み合わせのそれぞれにおけるＣＳ−ＩＤの一致個数を検査し、最も一致個数の多い組み合わせを構成する位置情報を得るようにする。この位置情報Ｓ４３は端末機４２の位置情報であり、サービスセンタ４３は、ステップＳＴ４３２で、この位置情報Ｓ４３を端末機４１に送信する。この位置情報Ｓ４３の送信は、例えばＤＴＭＦ信号で行われる。
【００９４】
端末機４１は、端末機４２の位置情報Ｓ４３を受信すると、ステップＳＴ４１３で、表示部１１６に、その位置情報Ｓ４３で示される位置を表示する。これにより、端末機４１の携帯者は、任意の位置にある端末機４２の位置を確認できることとなる。
【００９５】
以上説明したように、第４の実施の形態においては、サービスセンタ４３は基地局識別情報群（ＣＳ−ＩＤ群）とそれに対応した位置情報との組み合わせを記憶したメモリ手段を有し、このサービスセンタ４３でそのメモリ手段を利用して端末機４２の位置情報Ｓ４３を得る処理が行われ、その位置情報Ｓ４３が端末機４１に送信されるものである。したがって、端末機４１や端末機４２に大容量のメモリ手段を持たなくても、端末機４１で任意の位置にある端末機４２の位置情報Ｓ４３を容易に取得でき、端末機４１の携帯者は端末機４２の位置を確認できる。
【００９６】
なお、上述実施の形態においては、サービスセンタ１３〜４３より端末機１１〜４１に、端末機１２〜４２の位置情報をそのまま送信するものを示したが、ＣＳ−ＩＤの一致個数に対応して、文字列のデータにその精度を示すデータを付加して送信するようにしてもよい。これにより、端末機１１〜４１側では位置情報で示される位置の精度を認識できることとなる。精度を示すデータとしては、例えば一致個数が少ない場合には、「・・・の近く」、「・・・付近」等の文字列のデータが考えられる。
【００９７】
また、上述実施の形態においては、サービスセンタ１３〜４３において、被探索側の端末機１２〜４２より送信される基地局識別情報群（ＣＳ−ＩＤ群）と、メモリ手段に記憶されている複数個の組み合わせのそれぞれの基地局識別情報群（ＣＳ−ＩＤ群）とを単に比較し、複数個の組み合わせのそれぞれにおけるＣＳ−ＩＤの一致個数を求めるものである。
【００９８】
しかし、メモリ手段に記憶されている複数個の組み合わせのそれぞれの基地局識別情報群と、端末機１２〜４２より送信される基地局識別情報群とを受信信号強度に基づいて複数のグループに分割し、端末機１２〜４２より送信される基地局識別情報群とメモリ手段に記憶されている複数個の組み合わせのそれぞれの基地局識別情報群とを各グループ毎に比較して一致個数を求めるようにしてもよい。この場合、当然に、端末機１２〜４２よりサービスセンタ１３〜４３には、基地局識別情報群と一緒に受信信号強度データも送信されることとなる。このように、各グループ毎に比較して一致個数を求めることにより、より精度の高い位置情報を得ることが可能となる。
【００９９】
また、上述実施の形態においては、被探索側の端末機１２〜４２で得られる基地局識別情報群（ＣＳ−ＩＤ群）がサービスセンタ１３〜４３に送信され、サービスセンタ１３〜４３は、その基地局識別情報群（ＣＳ−ＩＤ群）とメモリ手段に記憶されている複数個の組み合わせのそれぞれの基地局識別情報群（ＣＳ−ＩＤ群）とを比較して複数個の組み合わせのそれぞれにおけるＣＳ−ＩＤの一致個数を検査し、最も一致個数の多い組み合わせを構成する位置情報を、被探索側の端末機１２〜４２の位置を示す位置情報として得るものである。
【０１００】
しかし、これの代わりに、被探索側の端末機１２〜４２で得られる基地局識別情報群（ＣＳ−ＩＤ群）と、その基地局識別情報群を構成するそれぞれの基地局識別情報が得ちれた際の受信信号強度のデータとをサービスセンタ１３〜４３に一緒に送信し、サービスセンタ１３〜４３は、それらの情報に基づいて被探索側の端末機１２〜４２の位置を示す位置情報を算出する構成としてもよい。
【０１０１】
例えば、図１６に示すように、被探索側の端末機ＰＳａで基地局ＣＳａ，ＣＳｂ，ＣＳｃのＣＳ−ＩＤが得られるとき、サービスセンタには、その基地局ＣＳａ，ＣＳｂ，ＣＳｃに係るＣＳ−ＩＤ群と受信信号強度データが一緒に送信される。サービスセンタは、ＣＳ−ＩＤ群により基地局ＣＳａ，ＣＳｂ，ＣＳｃの出力レベルが分かり、その出力レベルと受信信号強度データにより、端末機ＰＳａと基地局ＣＳａ，ＣＳｂ，ＣＳｃの距離Ｄａ，Ｄｂ，Ｄｃを算出する。また、サービスセンタは、ＣＳ−ＩＤ群により基地局ＣＳａ，ＣＳｂ，ＣＳｃの位置が分かり、この位置と上述の距離Ｄａ，Ｄｂ，Ｄｃを利用して、被探索側の端末機ＰＳａの位置を示す位置情報を算出する。
【０１０２】
また、上述したようにサービスセンタに基地局識別情報群と受信信号強度データとを一緒に送信し、被探索側の端末機の位置を示す位置情報を算出する場合に、さらに被探索側の端末機の電波の受信性能を認識するためのデータ（例えば機種情報）をサービスセンタに通知するようにしてもよい。サービスセンタでは、被探索側の端末機の受信性能を認識することで、さらに精度の高い情報を算出することが可能となる。
【０１０３】
また、上述実施の形態においては、サービスセンタ１３〜４３で得られる位置情報が探索側の端末機１１〜４１に送信され、この端末機１１〜４１の表示部に被探索側の端末機１２〜４２の位置を例えば文字で表示するものであるが、探索側の端末機に、サービスセンタより、その端末機の指定するデータ種類で、位置情報が送信されてくるようにしてもよい。例えば、データの種類として、文字データ、音声データ、画像データ、緯度，経度のデータ等が考えられる。例えば、探索側の端末機が、上述実施の形態のように簡易型携帯電話機であるときは、文字データや音声データ等で位置情報が送信されてくる。また、探索側の端末機がファクシミリであるときは、ファクシミリ信号（画像データ）で位置情報が送信されてくる。また、探索側の端末機がパーソナルコンピュータ、ナビゲーションシステムであるときは、画像データ（ＪＰＥＧデータ等）や、緯度，経度データ等で位置情報が送信されてくる。
【０１０４】
また、上述実施の形態において、探索側の端末機１１〜４１、被探索側の端末機１２〜４２およびサービスセンタ１３〜４３の間の情報の送信が例えばＤＴＭＦ信号で行われるように説明したが、呼設定メッセージのサブアドレス領域にその情報を配して、あるいはＰＨＳ標準のデータ通信（ＰＩＡＦＳ）を利用して送信するようにしてもよい。
また、上述実施の形態においては、通信端末装置が簡易型携帯電話機であるものを示したが、この発明は通信端末装置が簡易型携帯電話機以外のその他の通信端末装置である場合にも同様に適用できることは勿論である。
【０１０５】
この発明によれば、第２の通信端末装置（被探索側の端末機）で得られる基地局識別情報群、または基地局識別情報群および受信信号強度のデータをサービスセンタに送信し、このサービスセンタで第２の通信端末装置の位置情報を得、この位置情報を第１の通信端末装置（探索側の端末機）に送信するものである。したがって、第１、第２の通信端末装置に大容量のメモリ手段を持たなくても、第１の通信端末装置で任意の位置にある第２の通信端末装置の位置を示す位置情報を容易に取得でき、通信端末装置の大幅なコストアップを回避できる。
【産業上の利用可能性】
【０１０６】
以上のように、この発明に係る通信端末装置は、簡易型携帯電話機、携帯電話機等の通信端末装置に適用して好適である。
【図面の簡単な説明】
図１は、第１の実施の形態としての通信システムの概略構成を示すブロック図である。図２は、通信システムを構成する簡易型携帯電話機（ＰＨＳ）の構成を示すブロック図である。図３は、論理制御チャネル（ＬＣＣＨ）の構成を示す図である。図４は、ＢＣＣＨの構成を示す図である。図５は、ＳＣＣＨの構成を示す図である。図６は、ＰＣＨの構成を示す図である。図７は、待ち受け状態におけるＰＣＨの間欠受信の動作を示す図である。図８は、通話時における通信用物理スロットの構成を示す図である。図９は、第１の実施の形態としての通信システムの動作を説明するための制御シーケンス図である。図１０は、第２の実施の形態としての通信システムの概略構成を示すブロック図である。図１１は、第２の実施の形態としての通信システムの動作を説明するための制御シーケンス図である。図１２は、第３の実施の形態としての通信システムの概略構成を示すブロック図である。図１３は、第３の実施の形態としての通信システムの動作を説明するための制御シーケンス図である。図１４は、第４の実施の形態としての通信システムの概略構成を示すブロック図である。図１５は、第４の実施の形態としての通信システムの動作を説明するための制御シーケンス図である。図１６は、サービスセンタにおける位置情報の算出方法の説明に供する図である。
【図１】
0004333034.tif 000002
【図１０】
0004333034.tif 000003
【図２】
0004333034.tif 000004
【図３】
0004333034.tif 000005
【図４】
0004333034.tif 000006
【図５】
0004333034.tif 000007
【図６】
0004333034.tif 000008
【図７】
0004333034.tif 000009
【図８】
0004333034.tif 000010
【図９】
0004333034.tif 000011
【図１１】
0004333034.tif 000012
【図１２】
0004333034.tif 000013
【図１４】
0004333034.tif 000014
【図１３】
0004333034.tif 000015
【図１５】
0004333034.tif 000016
【図１６】
0004333034.tif 000017